(57)【要約】【課題】ハンドル部の上下方向の寸法を小さく抑えることができ、しかも、身長差にかかわらずだれにとっても操作しやすいインテリアドア用のプッシュプルハンドルの構造を提供する。【解決手段】上下方向に向けられ、例えば室内側に凸の円弧状に形成されたハンドル部２が、ステー３に対し、その円弧形状の曲率中心側を中心側として上下に対応円弧状にスライドすることができるよう連結されていると共に、該ハンドル部２を、スライド経路において選択したいずれかの位置でステー３に解除可能に固定する固定手段５が備えられている。【選択図】      図１
2008214979.tif 000002
【特許請求の範囲】
【請求項１】
上下方向に向けられ、室内側に凸の円弧状に形成されたハンドル部が、ステーに対し、その円弧形状の曲率中心側を中心側として上下に対応円弧状にスライドすることができるよう連結されていると共に、
該ハンドル部を、スライド経路において選択したいずれかの位置でステーに解除可能に固定する固定手段が備えられていることを特徴とするインテリアドア用のプッシュプルハンドルの構造。
【請求項２】
上下方向に向けられ、室内側に凸の円弧状に形成されたハンドル部が、ステーに取り付けられていることを特徴とするインテリアドア用のプッシュプルハンドルの構造。
【請求項３】
上下方向に向けられ、ドア側に凸の円弧状に形成されたハンドル部が、ステーに対し、その円弧形状の曲率中心側を中心側として上下に対応円弧状にスライドすることができるよう連結されていると共に、
該ハンドル部を、スライド経路において選択したいずれかの位置でステーに解除可能に固定する固定手段が備えられていることを特徴とするインテリアドア用のプッシュプルハンドルの構造。
【請求項４】
上下方向に向けられ、ドア側に凸の円弧状に形成されたハンドル部が、ステーに取り付けられていることを特徴とするインテリアドア用のプッシュプルハンドルの構造。
【請求項５】
上下方向に向けられたハンドル部が、ステーに対し、上下にスライドすることができるよう連結されていると共に、
該ハンドル部を、スライド経路において選択したいずれかの位置でステーに解除可能に固定する固定手段が備えられていることを特徴とするインテリアドア用のプッシュプルハンドルの構造。
【発明の詳細な説明】
【技術分野】
【０００１】
本発明は、インテリアドア用のプッシュプルハンドルの構造に関する。
【背景技術】
【０００２】
インテリアドア用のハンドルとしてレバーハンドルは広く知られているが、インテリアドアにおいて、そのようなレバーハンドルに代え、玄関ドアに用いられているようなプッシュプルハンドルを採用することが、ドアの開閉操作の容易性向上に向けて、広まりつつある。
【特許文献１】特開２０００−１４５３０５号公報
【発明の開示】
【発明が解決しようとする課題】
【０００３】
しかしながら、玄関ドア用のプッシュプルハンドルのような上下方向に長いハンドル部を備えたプッシュプルハンドルをそのままインテリアドアに適用したのでは、インテリアとしての意匠性を損なわせてしまいやすい。そのため、ハンドル部の寸法を上下方向に短くしたプッシュプルハンドルをインテリアドアに用いることが推奨されるが、単にハンドル部を上下方向に短くしただけでは、身長差などによって、だれもが操作しやすいプッシュプルハンドルにするのは難しいという問題を生じる。
【０００４】
また、レバーハンドルが取り付けられる高さ位置、例えば床面から９５０ｍｍの高さ位置にプッシュプルハンドルを取り付けるのが、レバー式、プッシュプル式等を含むインテリアドアの量産性を考えた場合には好ましいが、そのような高さ位置に取り付けたプッシュプルハンドルでは、上下方向の寸法が短いと、プッシュプルのハンドル操作をしずらいという検証結果もある。
【０００５】
本発明は、上記のような問題点に鑑み、ハンドル部の上下方向の寸法を小さく抑えることができ、しかも、身長差にかかわらずだれにとっても操作しやすいインテリアドア用のプッシュプルハンドルの構造を提供することを課題とする。
【課題を解決するための手段】
【０００６】
上記の課題は、上下方向に向けられ、室内側に凸の円弧状に形成されたハンドル部が、ステーに対し、その円弧形状の曲率中心側を中心側として上下に対応円弧状にスライドすることができるよう連結されていると共に、
該ハンドル部を、スライド経路において選択したいずれかの位置でステーに解除可能に固定する固定手段が備えられていることを特徴とするインテリアドア用のプッシュプルハンドルの構造によって解決される（第１発明）。
【０００７】
この構造では、ハンドル部が、上下方向に向けられ、室内側に凸の円弧状に形成されているので、ハンドル部の上下方向の寸法が短くても、高背のヒトは、ハンドル部の高さ方向中央部よりも上寄りの斜め上方を向く部分に対してプッシュプルのハンドル操作をし、また、低背のヒトは、ハンドル部の高さ方向中央部よりも下寄りの斜め下方を向く部分に対してプッシュプルのハンドル操作をすることによって、プッシュプルのハンドル操作を身長差にかかわらずだれにとっても操作しやすいものにすることができる。
【０００８】
しかも、ハンドル部が、ステーに対して上下にスライドさせることができるようになされているので、ハンドル部の上下方向の寸法が短くても、ステーに対してハンドル部を上下にスライドさせてハンドル部の高さ位置を変更することにより、プッシュプルのハンドル操作を身長差にかかわらずだれにとっても操作しやすいものにすることができる。
【０００９】
特に、ハンドル部は、ステーに対し、その円弧形状の曲率中心側を中心側として上下に対応円弧状にスライドさせることができるようになされているので、ハンドル部のスライド寸法範囲を短くしても、プッシュプルのハンドル操作を身長差にかかわらずだれにとっても操作しやすいものにすることができ、ハンドル部の上下方向の寸法をより一層短いものにすることができる。
【００１０】
そして、レバーハンドル式のインテリアドアとプッシュプルハンドル式のインテリアドアの量産性を良くするため、レバーハンドルが取り付けられるのと同じ高さ位置に、上下方向の寸法が短いプッシュプルハンドルを取り付ける仕様とする場合であっても、操作しやすいプッシュプルハンドルにすることができる。
【００１１】
また、上記の課題は、上下方向に向けられ、室内側に凸の円弧状に形成されたハンドル部が、ステーに取り付けられていることを特徴とするインテリアドア用のプッシュプルハンドルの構造によっても解決される（第２発明）。
【００１２】
この構造では、ハンドル部が、上下方向に向けられ、室内側に凸の円弧状に形成されているので、ハンドル部の上下方向の寸法が短くても、高背のヒトは、ハンドル部の高さ方向中央部よりも上寄りの斜め上方を向く部分に対してプッシュプルのハンドル操作をし、また、低背のヒトは、ハンドル部の高さ方向中央部よりも下寄りの斜め下方を向く部分に対してプッシュプルのハンドル操作をすることによって、プッシュプルのハンドル操作を身長差にかかわらずだれにとっても操作しやすいものにすることができる。即ち、第２発明では、ハンドル部が上下にスライドするようになされているかどうかは問わないし、また、第１発明のように構成されたものであってもよい。
【００１３】
また、上記の課題は、上下方向に向けられ、ドア側に凸の円弧状に形成されたハンドル部が、ステーに対し、その円弧形状の曲率中心側を中心側として上下に対応円弧状にスライドすることができるよう連結されていると共に、
該ハンドル部を、スライド経路において選択したいずれかの位置でステーに解除可能に固定する固定手段が備えられていることを特徴とするインテリアドア用のプッシュプルハンドルの構造によって解決される（第３発明）。
【００１４】
この構造では、ハンドル部が、上下方向に向けられ、ドア側に凸の円弧状に形成されているので、ハンドル部の上下方向の寸法が短くても、高背のヒトは、ハンドル部の高さ方向中央部よりも下寄りの斜め下方を向く部分に対してプッシュプルのハンドル操作をし、また、低背のヒトは、ハンドル部の高さ方向中央部よりも上寄りの斜め上方を向く部分に対してプッシュプルのハンドル操作をすることによって、プッシュプルのハンドル操作を身長差にかかわらずだれにとっても操作しやすいものにすることができる。
【００１５】
しかも、ハンドル部が、ステーに対して上下にスライドさせることができるようになされているので、ハンドル部の上下方向の寸法が短くても、ステーに対してハンドル部を上下にスライドさせてハンドル部の高さ位置を変更することにより、プッシュプルのハンドル操作を身長差にかかわらずだれにとっても操作しやすいものにすることができる。
【００１６】
特に、ハンドル部は、ステーに対し、その円弧形状の曲率中心側を中心側として上下に対応円弧状にスライドさせることができるようになされているので、ハンドル部のスライド寸法範囲を短くしても、プッシュプルのハンドル操作を身長差にかかわらずだれにとっても操作しやすいものにすることができ、ハンドル部の上下方向の寸法をより一層短いものにすることができる。
【００１７】
そして、レバーハンドル式のインテリアドアとプッシュプルハンドル式のインテリアドアの量産性を良くするため、レバーハンドルが取り付けられるのと同じ高さ位置に、上下方向の寸法が短いプッシュプルハンドルを取り付ける仕様とする場合であっても、操作しやすいプッシュプルハンドルにすることができる。
【００１８】
また、上記の課題は、上下方向に向けられ、ドア側に凸の円弧状に形成されたハンドル部が、ステーに取り付けられていることを特徴とするインテリアドア用のプッシュプルハンドルの構造によっても解決される（第４発明）。
【００１９】
この構造では、ハンドル部が、上下方向に向けられ、ドア側に凸の円弧状に形成されているので、ハンドル部の上下方向の寸法が短くても、高背のヒトは、ハンドル部の高さ方向中央部よりも下寄りの斜め下方を向く部分に対してプッシュプルのハンドル操作をし、また、低背のヒトは、ハンドル部の高さ方向中央部よりも上寄りの斜め上方を向く部分に対してプッシュプルのハンドル操作をすることによって、プッシュプルのハンドル操作を身長差にかかわらずだれにとっても操作しやすいものにすることができる。即ち、第４発明では、ハンドル部が上下にスライドするようになされているかどうかは問わないし、また、第３発明のように構成されたものであってもよい。
【００２０】
また、上記の課題は、上下方向に向けられたハンドル部が、ステーに対し、上下にスライドすることができるよう連結されていると共に、
該ハンドル部を、スライド経路において選択したいずれかの位置でステーに解除可能に固定する固定手段が備えられていることを特徴とするインテリアドア用のプッシュプルハンドルの構造によって解決される（第５発明）。
【００２１】
この構造では、ハンドル部が、ステーに対して上下にスライドさせることができるようになされているので、ハンドル部の上下方向の寸法が短くても、ステーに対してハンドル部を上下にスライドさせてハンドル部の高さ位置を変更することにより、プッシュプルのハンドル操作を身長差にかかわらずだれにとっても操作しやすいものにすることができる。即ち、第５発明では、ハンドル部が、上下方向に延びる直線状のものからかっていてもよいし、あるいは、ハンドル部が室内側に凸の円弧状に形成されると共に上下に直線状にスライドする構造のものからなっていてもよいし、あるいはまた、第１発明のように構成されたものであってもよいし、ハンドル部がドア側に凸の円弧状に形成されると共に上下に直線状にスライドする構造のものからなっていてもよいし、あるいはまた、第３発明のように構成されたものであってもよい。
【発明の効果】
【００２２】
本発明のインテリアドア用のプッシュプルハンドルの構造は、以上のとおりのものであるから、ハンドル部の上下方向の寸法を小さく抑えることができ、しかも、身長差にかかわらずだれにとっても操作しやすい。
【００２３】
また、レバーハンドル式のインテリアドアとプッシュプルハンドル式のインテリアドアの量産性を良くするため、レバーハンドルが取り付けられるのと同じ高さ位置に、上下方向の寸法が短いプッシュプルハンドルを取り付ける仕様とする場合であっても、操作しやすいプッシュプルハンドルにすることができる。
【発明を実施するための最良の形態】
【００２４】
次に、本発明の実施最良形態を図面に基づいて説明する。
【００２５】
図１及び図２に示す第１実施形態のインテリアドア用のプッシュプルハンドルの構造において、１はインテリアドア、２はハンドル部、３はステーである。ハンドル部２は、図１（イ）に示すように、上下方向に向けられ、室内側に凸の円弧状に形成されたものからなっていて、図１（ロ）（ハ）に示すように、内面部にリップ間開口部を有するリップ付き溝形形状をしており、その溝内２ａに、ステー３の先端に設けられたベース部３ａがハンドル部２の延びる方向にスライド可能に配置されて、ハンドル部２は、図２（イ）（ロ）に示すように、ステー３に対し、円弧形状の曲率中心側を中心側として上下に対応円弧状にスライドすることができるよう連結されている。
【００２６】
そして、図１（ロ）（ハ）（ニ）に示すように、ステー３のベース部３ａに設けられたネジ孔４に、固定手段としての雄ネジ５が螺合され、ハンドル部２のリップ間開口部を通じて該雄ネジ５を奥方に締め込み、その先端部をハンドル部２の溝底に当接させ、ステー３のベース部３ａをハンドル部２の両リップに押付け状態にすることによって、ハンドル部２を、スライド経路において選択したいずれかの位置でステー３に対して解除可能に固定することができるようになされている。
【００２７】
上記の構造では、図１（イ）に示すように、ハンドル部２が、上下方向に向けられ、室内側に凸の円弧状に形成されているので、ハンドル部２の上下方向の寸法が短くても、矢印で示すように、高背のヒトは、ハンドル部の高さ方向中央部よりも上寄りの斜め上方を向く部分に対してプッシュプルのハンドル操作をし、また、低背のヒトは、ハンドル部の高さ方向中央部よりも下寄りの斜め下方を向く部分に対してプッシュプルのハンドル操作をすることによって、プッシュプルのハンドル操作を身長差にかかわらずだれにとっても操作しやすいものにすることができる。
【００２８】
また、ハンドル部２が、ステー３に対して上下にスライドさせることができるようになされているので、ハンドル部２の上下方向の寸法が短くても、図２（イ）（ロ）に示すように、ステー３に対してハンドル部２を上下にスライドさせてハンドル部２の高さ位置を変更することにより、プッシュプルのハンドル操作を身長差にかかわらずだれにとっても操作しやすいものにすることができる。
【００２９】
特に、ハンドル部２は、ステー３に対し、その円弧形状の曲率中心側を中心側として上下に対応円弧状にスライドさせることができるようになされているので、ハンドル部２のスライド寸法範囲を短くしても、プッシュプルのハンドル操作を身長差にかかわらずだれにとっても操作しやすいものにすることができ、ハンドル部２の上下方向の寸法を非常に短いものにすることができる。
【００３０】
図３に示す第２実施形態のインテリアドア用のプッシュプルハンドルの構造では、図３（イ）に示すように、ハンドル部２が、上下方向に向けられ、ドア１側に凸の円弧状に形成されたものからなって、ステー３に対し、その円弧形状の曲率中心側を中心側として上下に対応円弧状にスライドすることができるよう連結され、固定手段としての雄ネジ５により、スライド経路において選択したいずれかの位置でステー３に解除可能に固定することができるようになされている。
【００３１】
この構造では、図３（イ）に示すように、ハンドル部２が、上下方向に向けられ、ドア１側に凸の円弧状に形成されているので、ハンドル部２の上下方向の寸法が短くても、矢印で示すように、高背のヒトは、ハンドル部の高さ方向中央部よりも下寄りの斜め下方を向く部分に対してプッシュプルのハンドル操作をし、また、低背のヒトは、ハンドル部の高さ方向中央部よりも上寄りの斜め上方を向く部分に対してプッシュプルのハンドル操作をすることによって、プッシュプルのハンドル操作を身長差にかかわらずだれにとっても操作しやすいものにすることができる。
【００３２】
また、ハンドル部２が、ステー３に対して上下にスライドさせることができるようになされているので、ハンドル部２の上下方向の寸法が短くても、図３（ロ）（ハ）に示すように、ステー３に対してハンドル部２を上下にスライドさせてハンドル部２の高さ位置を変更することにより、プッシュプルのハンドル操作を身長差にかかわらずだれにとっても操作しやすいものにすることができる。
【００３３】
特に、ハンドル部２は、ステー３に対し、その円弧形状の曲率中心側を中心側として上下に対応円弧状にスライドさせることができるようになされているので、ハンドル部２のスライド寸法範囲を短くしても、プッシュプルのハンドル操作を身長差にかかわらずだれにとっても操作しやすいものにすることができ、ハンドル部２の上下方向の寸法を非常に短いものにすることができる。
【００３４】
以上に、本発明の実施形態を示したが、本発明はこれに限られるものではなく、発明思想を逸脱しない範囲で各種の変更が可能である。例えば、本発明では、ハンドル部をステーに対してスライドさせるスライド機構や固定手段の構成に特段の制限はなく、各種の機構手段が採用されてよい。
【図面の簡単な説明】
【００３５】
【図１】インテリアドア用のプッシュプルハンドルの構造の第１実施形態を示すもので、図（イ）は断面側面図、図（ロ）はハンドル部とステーの連結部を拡大して示す側面図、図（ハ）は図（ロ）のＩ−Ｉ線矢視断面図、図（ニ）は固定手段による固定方法を示す断面図である。
【図２】図（イ）及び図（ロ）はそれぞれ、ハンドル部の位置を変更した状態の断面側面図である。
【図３】第２実施形態の構造を示すもので、図（イ）は断面側面図、図（ロ）及び図（ハ）はそれぞれ、ハンドル部の位置を変更した状態の断面側面図である。
【符号の説明】
【００３６】
１…インテリアドア
２…ハンドル部
３…ステー
５…雄ネジ（固定手段）
【図１】
2008214979.tif 000003
【図２】
2008214979.tif 000004
【図３】
2008214979.tif 000005